(57)【要約】【課題】天井部よりも下方に設置される吊り下げ対象物を吊り下げ支持する吊り金物との干渉を防止しつつ引張材を天井部に設置して、容易に且つ確実に耐震性能の向上を図ることを可能にする吊り天井構造を提供する。【解決手段】一対の側壁部１１ａと連設部１１ｂを備えて断面略コ字状で略棒状に形成され、天井材６の下方に且つ天井面に沿って一方向Ｔ１及び／又は他方向Ｔ２に延設される引張材１１と、一端を天井下地７に接続し、天井材６を貫通して垂設され、吊り下げ対象物１３を吊り下げ支持するための吊り金物１２とを備え、複数の引張材１１の端部１１ｃ同士を接続して直線状に配設するための引張材接続用金物１７を、一方の引張材１１と他方の引張材１１の側壁部１１ａに固着される接続板部１７ａと、一方の引張材１１と他方の引張材１１の端部１１ｃの間の隙間に連通し、吊り金物１２を挿通させる吊り金物挿通孔１９とを備えて形成する。【選択図】図１
2015031012.tif 000002
【特許請求の範囲】
【請求項１】
吊り部材を介して建物躯体の上部構造に吊り下げ支持される天井下地に、天井面を形成する天井材を取り付けてなる吊り天井構造において、
一対の側壁部と該一対の側壁部の上端同士を繋ぐ連設部を備えて断面略コ字状で略棒状に形成され、前記天井材の下方に且つ前記天井面に沿って一方向及び／又は一方向に直交する他方向に延設されるとともに、前記天井材の下方から前記天井材及び／又は前記天井下地に前記連設部を接続固定して配設される引張材と、
一端を前記天井下地に接続し、前記天井材を貫通して垂設され、吊り下げ対象物を前記天井材の下方の所定位置に吊り下げ支持するための吊り金物とを備え、
前記引張材は、複数の引張材の端部同士を引張材接続用金物を用いて接続し、前記一方向及び／又は前記他方向に直線状に配設されており、
前記引張材接続用金物が、端部同士を接続する一方の引張材の側壁部と他方の引張材の側壁部に固着される接続板部と、前記一方の引張材の端部と前記他方の引張材の端部の間の隙間に連通し、前記吊り金物が挿通される吊り金物挿通孔とを備えて形成されていることを特徴とする吊り天井構造。
【発明の詳細な説明】
【技術分野】
【０００１】
本発明は、吊り天井の構造に関する。
【背景技術】
【０００２】
従来、例えば学校、病院、生産施設、体育館、プール、空港ターミナルビル、オフィスビル、劇場、シネコン等の建物の天井として、吊り天井が多用されている（例えば、特許文献１、特許文献２参照）。そして、吊り天井（吊り天井構造）Ａは、例えば図４に示すように、水平の一方向Ｔ１に所定の間隔をあけて並設される複数の野縁１と、野縁１に直交し、水平の他方向Ｔ２に所定の間隔をあけて並設され、複数の野縁１に一体に接続して設けられる複数の野縁受け２と、下端を野縁受け２に接続し、上端を上階の床材等の上部構造３（建物躯体）に固着して配設される複数の吊りボルト（吊り部材）４と、野縁１の下面にビス留めなどによって一体に取り付けられ、下階の天井面（天井部５）を形成する天井パネル（天井材）６とを備えて構成されている。
【０００３】
また、例えば図５に示すように、クリーンルームのようにファンフィルターユニット等の大重量の設備機器を天井部５に設置する必要がある吊り天井（吊り天井構造）Ａには、水平の一方向Ｔ１に所定の間隔をあけて並設され、一方向Ｔ１に直交する他方向Ｔ２に延びる複数のＴバー（断面逆Ｔ型の支持部材）８と、上端を上部構造に固着し、下端側をＴバー８に接続して配設された複数の吊りボルト（吊り部材）４と、Ｔバー８などからなる天井下地７にビス留めして一体に取り付けられて天井面（天井部５）を形成する天井パネル（天井材）６とを備えて構成したものもある。
【０００４】
一方、このように野縁１及び野縁受け２、Ｔバー８からなる天井下地７と天井パネル６を吊りボルト４で吊り下げ支持してなる吊り天井Ａは、その構造上、地震時に作用する水平力によって横揺れしやすい。そして、地震時に横揺れして、天井部５の端部５ａが壁や柱、梁などの建物構成部材（建物躯体）９に衝突し、天井パネル６に破損が生じたり、脱落が生じるおそれがあった。
【０００５】
このため、従来、上部構造３などに上端側を接続し、下端側を吊りボルト４や、野縁１、野縁受け２、Ｔバー８などの天井下地７に接続して補強ブレース１０を設け、天井下地７及び天井パネル６からなる天井部５の地震時の横揺れを抑えるようにしている（図５参照）。
【０００６】
しかしながら、補強ブレース１０による耐震補強、耐震改修を行う際には、天井裏空間Ｈに作業員が入って取付作業を行うことが必要になる。このため、天井裏空間Ｈに配設された配線、配管、エアコン等の付帯設備などによって、補強できる範囲に制限が生じ、十分に対応できないケースがある。また、天井下地７などにＪＩＳ材ではない低強度の一般材が使用され、補強後の性能が不安定で十分な改修精度を確保できないケースや、点付け溶接部などがあることで対応できないケースもある。
【０００７】
これに対し、本願の出願人は、例えば図６に示すように、天井部５の下方に且つ天井部５に沿って横方向に、例えば溝形鋼などの断面略逆Ｕ字状で略棒状の引張材１１を配設し、この引張材１１の両端部をそれぞれ建物躯体３、９に接続し、中間部を天井部５の下方から天井材６及び／又は天井下地７にタッピングビス等の接続固定手段で接続固定してなる吊り天井構造Ｂを発明し、この発明について既に特許出願（特願２０１３−０１６０１９）を行っている。
【０００８】
このように溝形鋼などの断面略逆Ｕ字状で略棒状の引張材（補強用グリッド部材）１１を天井部５の下方に且つ天井部５に沿って配設してなる吊り天井構造Ｂ（グリッドサポート工法）は、地震時に、引張材１１によって天井部５を建物躯体３、９と一体に挙動させることができ、天井部５の揺れを抑制することが可能になる。
【０００９】
また、引張材１１の中間部をビスなどの接続固定手段を用い、天井部５の下方から天井材６及び／又は天井下地７に固定することで、引張材１１の設置時に天井裏空間Ｈ内での作業をほとんど不要にすることが可能で、施工性を大幅に向上させることができる。
【００１０】
これにより、既設の吊り天井構造Ａに引張材１１を取り付けて耐震性能の向上を図る耐震改修を行う場合であっても、天井裏空間Ｈ内での危険作業が不要で、天井裏空間Ｈ内に設けられている付帯設備、建物躯体３とのクリアランスの関係で施工できない範囲が生じるという不都合を解消することができ、必要工期の短縮、コストの低減を図ることが可能になる。
【００１１】
また、耐震改修後もエアコン、照明などの天井部付帯設備のメンテナンスを容易に行なうことができる。さらに、天井下地７の野縁１、野縁受け２、Ｔバー８などにＪＩＳ材と一般材のどちらが使用されていても、また、新設、既設の吊り天井構造であっても、さらに天井材６がいかなる材質であっても対応可能で、確実に耐震性能の向上を図ることが可能になる。
【先行技術文献】
【特許文献】
【００１２】
【特許文献１】特開２００８−１２１３７１号公報
【特許文献２】特開２００５−３５０９５０号公報
【発明の概要】
【発明が解決しようとする課題】
【００１３】
ここで、天井部５の幅寸法（一方向Ｔ１の長さ寸法）や奥行き寸法（他方向Ｔ２の長さ寸法）が大きい場合には、接続用金物を用いて複数の溝形鋼などの引張材１１の端部同士を接続し、一方向Ｔ１や他方向Ｔ２に所定の長さで直線状に延びる引張材１１を形成するようにしている。
【００１４】
一方、この種の吊り天井においては、天井面側から天井パネル６を貫通させて上端部を天井下地７に接続した吊り金物で吊り下げ支持し、例えばライン照明や装飾物など、吊り下げ対象物を室側に設置するケースが多々ある。
【００１５】
そして、このような吊り下げ対象物を吊り下げ支持するための吊り金物と、引張材１１とが干渉してしまい、引張材１１を所望の取付位置に設置することが困難になる場合があった。
【００１６】
本発明は、上記事情に鑑み、天井部よりも下方に設置される吊り下げ対象物を吊り下げ支持する吊り金物との干渉を防止しつつ引張材を天井部に設置して、容易に且つ確実に耐震性能の向上を図ることを可能にする吊り天井構造を提供することを目的とする。
【課題を解決するための手段】
【００１７】
上記の目的を達するために、この発明は以下の手段を提供している。
【００１８】
本発明の吊り天井構造は、吊り部材を介して建物躯体の上部構造に吊り下げ支持される天井下地に、天井面を形成する天井材を取り付けてなる吊り天井構造において、一対の側壁部と該一対の側壁部の上端同士を繋ぐ連設部を備えて断面略コ字状で略棒状に形成され、前記天井材の下方に且つ前記天井面に沿って一方向及び／又は一方向に直交する他方向に延設されるとともに、前記天井材の下方から前記天井材及び／又は前記天井下地に前記連設部を接続固定して配設される引張材と、一端を前記天井下地に接続し、前記天井材を貫通して垂設され、吊り下げ対象物を前記天井材の下方の所定位置に吊り下げ支持するための吊り金物とを備え、前記引張材は、複数の引張材の端部同士を引張材接続用金物を用いて接続し、前記一方向及び／又は前記他方向に直線状に配設されており、前記引張材接続用金物が、端部同士を接続する一方の引張材の側壁部と他方の引張材の側壁部に固着される接続板部と、前記一方の引張材の端部と前記他方の引張材の端部の間の隙間に連通し、前記吊り金物が挿通される吊り金物挿通孔とを備えて形成されていることを特徴とする。
【発明の効果】
【００１９】
本発明の吊り天井構造においては、複数の引張材の端部同士を接続する引張材接続用金物が一方の引張材の側壁部と他方の引張材の側壁部に固着される接続板部と、吊り金物を挿通するための吊り金物挿通孔とを備えていることにより、接続板部で一方の引張材と他方の引張材を確実に一体に接続することができ、このように一方の引張材と他方の引張材を接続した状態で、吊り金物挿通孔に天井下地に一端を接続した吊り金物を天井材の下方に挿通して垂設することが可能になる。
【００２０】
これにより、例えばライン照明や装飾物などの吊り下げ対象物を天井材の下方の室側に吊り金物を用いて設置する場合に、従来のように吊り金物と引張材が干渉することがなく、吊り金物を垂設するために天井材や引張材などに別途挿通孔を穿設することを不要にできる。
【００２１】
よって、本発明の吊り天井構造によれば、天井部よりも下方に設置される吊り下げ対象物を吊り下げ支持する吊り金物との干渉を防止しつつ引張材を天井部に設置して、容易に且つ確実に耐震性能の向上を図ることが可能になる。
【図面の簡単な説明】
【００２２】
【図１】本発明の一実施形態に係る吊り天井構造において、引張材接続用金物を用いて引張材の端部同士を接続した状態を示す側断面図である。
【図２】本発明の一実施形態に係る吊り天井構造において、引張材接続用金物を用いて引張材の端部同士を接続した状態を示す下方からの平面視図である。
【図３】本発明の一実施形態に係る吊り天井構造の引張材接続用金物を示す斜視図である。
【図４】従来の吊り天井構造を示す斜視図である。
【図５】従来の吊り天井構造を示す斜視図である。
【図６】天井部に引張材を設置して耐震性能を向上させた吊り天井構造を示す斜視図である（本発明の一実施形態に係る吊り天井構造を示す斜視図である）。
【発明を実施するための形態】
【００２３】
以下、図１から図３、及び図６を参照し、本発明の一実施形態に係る吊り天井構造について説明する。ここで、本実施形態は、例えば学校、病院、生産施設、体育館、プール、空港ターミナルビル、オフィスビル、劇場、シネコン等の建物の天井として用いられる吊り天井の構造に関するものである。
【００２４】
本実施形態の吊り天井（吊り天井構造）Ｃは、図６に示すように、野縁１と野縁受け２と吊り部材（吊りボルト）４と天井材６とを備えて構成されている。
【００２５】
野縁１は、例えば断面コ字状に形成された溝形鋼であり、水平に延設され、且つ水平の一方向の横方向Ｔ１に所定の間隔をあけ、平行に複数配設されている。
【００２６】
野縁受け２は、例えば断面コ字状に形成された溝形鋼であり、水平に延設され、且つ水平の他方向の横方向Ｔ２に所定の間隔をあけ、平行に複数配設されている。また、このとき、野縁受け２は、野縁１と交差するように配設されるとともに、複数の野縁１上に載置した状態で配設される。そして、各野縁受け２は、野縁１と交差する部分で、野縁接続用金具（クリップ）を使用することにより野縁１に接続されている。
【００２７】
吊り部材４は、円柱棒状に形成されるとともに外周面に雄ネジの螺刻を有する吊りボルトであり、上端を上階の床材等の上部構造３（建物躯体）に固着、または鋼製の根太等に緊結して垂下され、下端側を、吊り部材接続用金具（ハンガー）を用いることにより野縁受け２に接続して複数配設されている。また、複数の吊り部材４は、所定の間隔をあけて分散配置されている。
【００２８】
天井材（天井パネル）６は、２枚のボードを貼り付けて一体に積層形成したものであり、例えば天井付帯設備等の重量と併せて、１ｍ２あたり２０ｋｇ程度の重量で形成されている。そして、この天井材６は、複数の野縁１の下面にビス留めなどして設置されている。なお、天井材６は、１枚および３枚以上のボードで構成されていてもよい。
【００２９】
そして、この吊り天井Ｃでは、吊り部材４を介して建物の上部構造３に、野縁１と野縁受け２と天井材６とが吊り下げ支持されている。また、野縁１と野縁受け２によって天井下地７が形成され、この天井下地７と天井下地７に取り付けた天井材６によって天井部５、この天井部５によって下階の天井面が形成されている。
【００３０】
また、この吊り天井Ｃにおいては、図１に示すように、上端部（一端）を天井下地７に接続し、天井材６（天井部５）を貫通して垂設した吊り金物１２と、この吊り金物１２の下端側に接続して設けられたライン照明や装飾物等の吊り下げ対象物１３とが一体に設けられている。さらに、本実施形態では、吊り金物１２が天井下地７（野縁１）に上端部を接続し、野縁１の延設方向に所定の間隔をあけて複数設けられている。
なお、吊り金物１２は、天井下地７ではなく、その上端部を建物の上部構造３や他の部材に接続しつつ、天井材６を貫通して垂設されていてもよい。
【００３１】
また、本実施形態の吊り天井Ｃにおいては、図６、図１及び図２に示すように、天井部５と建物の上部構造３の間の天井裏空間Ｈの天井部５の外周端部５ａ側、すなわち、天井裏空間Ｈの壁、柱、梁等の建物構成部材（建物躯体）９側に、上端を上部構造３に接続して、束材１５が上下方向Ｔ３に延設（垂設）されている。また、この束材１５は、天井部５の外周端部５ａに沿う方向に所定の間隔をあけて複数設けられている。そして、これら複数の束材１５の下端に横方向Ｔ１、Ｔ２に延びる連結材１６が接続され、この連結材１６を介して複数の束材１５が一体に連結されている。なお、本実施形態では、これら束材１５や連結材１６として、例えばＨ形鋼、Ｉ形鋼、溝形鋼などの形鋼や角鋼管などの管材が使用されている。
【００３２】
また、本実施形態の吊り天井Ｃにおいては、天井部５の下方に、且つ天井部５の下面（天井面）に沿って水平に、略棒状の引張材（補強用グリッド部材）１１が配設されている。この引張材１１は、例えばアルミ押出形鋼、スチール部材などで形成した溝形鋼であり、一対の側壁部１１ａと一対の側壁部１１ａ同士を繋ぐ連設部１１ｂとを備えて断面略コ字状（断面略逆Ｕ字状）に形成されている。
【００３３】
また、引張材１１は、その中間部を天井部５の下方からタッピングビスなどの接続固定手段で天井材６（天井部５）及び天井下地７の野縁１に固定して設けられている。そして、本実施形態では、このような引張材１１が天井部５の下方で例えば９００〜２４００ｍｍピッチの格子状（グリッド状）に配設されている。
【００３４】
さらに、この引張材１１は、一端部及び他端部を連結材１６に接続し、連結材１６を介して束材１５に接続して設けられている。すなわち、本実施形態の引張材１１は、束材１５や連結材１６の支持体を介して建物躯体３、９に接続されている。なお、引張材１１は、一端部及び／又は他端部を、取付具を用いて壁や柱、梁などの建物構成部材９に接続するようにしてもよい（建物躯体に直接的に接続するようにしてもよい）。
【００３５】
また、本実施形態の吊り天井Ｃでは、天井部５の幅寸法（一方向Ｔ１の長さ寸法）や奥行き寸法（他方向Ｔ２の長さ寸法）に応じ、引張材接続用金物１７を用いて複数の溝形鋼などの引張材１１の端部１１ｃ同士を接続し、一方向Ｔ１や他方向Ｔ２に所定の長さで直線状に引張材１１を配設するようにしている。
【００３６】
そして、本実施形態では、図１から図３に示すように、引張材１１の端部１１ｃ同士を接続するための引張材接続用金物１７が、一方の引張材１１と他方の引張材１１の一対の側壁部１１ａにそれぞれ重ねて架設されるとともに各側壁部１１ａに形成されたボルト挿通孔にボルト１８を挿通して固着して、一方の引張材１１と他方の引張材１１の一対の側壁部１１ａ同士をそれぞれ接続する一対の平板状の接続板部１７ａと、一対の接続板部１７ａの延設方向一端側及び／又は他端側の上端部に繋がって接続板部１７ａに直交するように延出し、一方の引張材１１と他方の引張材１１の各連設部１１ｂに重ねて配設される平板状の補剛部１７ｂとを備えて形成されている。
【００３７】
言い換えると、本実施形態の引張材接続用金物１７は、所定の間隔をあけて配設される一対の平板状の接続板部１７ａと、接続板部１７ａの一端側及び／又は他端側の上端部に繋がり、接続板部１７ａに直交して配設される一対の平板状の補剛部１７ｂとを備えるとともに、一対の補剛部１７ｂの間に、一方の引張材１１の端部１１ｃと他方の引張材１１の端部１１ｃの間の隙間に連通し、吊り金物１２が挿通される吊り金物挿通孔１９を備えて形成されている。
【００３８】
さらに、本実施形態では、図３に示すように、引張材接続用金物１７が、一方の接続板部１７ａ及び一方の接続板部１７ａの一端側の上端部に繋がる一方の補剛部１７ｂからなる一方の引張材接続用金物片１７ｃと、他方の接続板部１７ａ及び他方の接続板部１７ａの他端側の上端部に繋がる他方の補剛部１７ｂからなる他方の引張材接続用金物片１７ｄとの２つの引張材接続用金物片１７ｃ、１７ｄに分割して構成されている。
【００３９】
そして、本実施形態の吊り天井Ｃでは、一方の引張材接続用金物片１７ｃを一方の引張材１１の一方の側壁部１１ａと他方の引張材１１の一方の側壁部１１ａに、他方の引張材接続用金物片１７ｃを一方の引張材１１の他方の側壁部１１ａと他方の引張材１１の他方の側壁部１１ａにそれぞれ、ボルトで接合して架設する。これにより、引張材１１の端部１１ｃ同士が引張材接続用金物１７によって強固に接続される。
【００４０】
また、このように引張材接続用金物１７を取り付けると、一方の引張材接続用金物片１７ｃの補剛部１７ｂと他方の引張材接続用金物片１７ｄの補剛部１７ｂとの間に吊り金物挿通孔１９が形成される。このため、この吊り金物挿通孔１９に吊り金物１２を挿通して、ライン照明や装飾物等の吊り下げ対象物１３を吊り下げ支持することができる。
【００４１】
したがって、本実施形態の吊り天井構造Ｃにおいては、複数の引張材１１の端部１１ｃ同士を接続する引張材接続用金物１７が一方の引張材１１の側壁部１１ａと他方の引張材１１の側壁部１１ａに固着される接続板部１７ａと、吊り金物１２を挿通するための吊り金物挿通孔１９とを備えていることにより、接続板部１７ａで一方の引張材１１と他方の引張材１１を確実に一体に接続することができ、このように一方の引張材１１と他方の引張材１１を接続した状態で、吊り金物挿通孔１９に天井下地７に一端を接続した吊り金物１２を天井材６の下方に挿通して垂設することが可能になる。
【００４２】
これにより、例えばライン照明や装飾物などの吊り下げ対象物１３を天井材６の下方の室側に吊り金物１２を用いて設置する場合に、従来のように吊り金物１２と引張材１１が干渉することがなく、吊り金物１２を垂設するために天井材６や引張材１１などに別途挿通孔を穿設することを不要にできる。
【００４３】
よって、本実施形態の吊り天井構造Ｃによれば、天井部５よりも下方に設置される吊り下げ対象物１３を吊り下げ支持する吊り金物１２との干渉を防止しつつ引張材１１を天井部５に設置して、容易に且つ確実に耐震性能の向上を図ることが可能になる。
【００４４】
以上、本発明に係る吊り天井構造の一実施形態について説明したが、本発明は上記の一実施形態に限定されるものではなく、その趣旨を逸脱しない範囲で適宜変更可能である。
【００４５】
例えば、本実施形態では、本実施形態では、天井下地７が野縁１と野縁受け２を備えて構成されているものとしたが、本発明に係る天井下地は、必ずしも本実施形態のように限定しなくてもよく、例えば、吊りボルト（吊り部材）４に吊り下げ支持されて水平の一方向Ｔ１に所定の間隔をあけて並設されるとともに一方向Ｔ１に直交する他方向Ｔ２に延びる複数のＴバー（断面逆Ｔ型の支持部材）を備えて構成した天井下地７であってもよい。すなわち、本発明は、特に天井下地の構成を限定する必要はない。
【符号の説明】
【００４６】
１      野縁
２      野縁受け
３      上部構造（建物躯体）
４      吊り部材（吊りボルト）
５      天井部
５ａ    端部
６      天井材（天井パネル）
７      天井下地
８      Ｔバー
９      建物構成部材（建物躯体）
１０    補強ブレース
１１    引張材
１１ａ  側壁部
１１ｂ  連設部
１１ｃ  端部
１２    吊り金物
１３    吊り下げ対象物
１５    束材
１６    連結材
１７    引張材接続用金物
１７ａ  接続板部
１７ｂ  補剛部
１７ｃ  一方の引張材接続用金物片
１７ｄ  他方の引張材接続用金物片
１８    ボルト
１９    吊り金物挿通孔
Ａ      従来の吊り天井構造
Ｂ      従来の吊り天井構造
Ｃ      吊り天井構造
Ｈ      天井裏空間
Ｔ１    横方向（一方向）
Ｔ２    横方向（他方向）
Ｔ３    上下方向
【図１】
2015031012.tif 000003
【図２】
2015031012.tif 000004
【図３】
2015031012.tif 000005
【図４】
2015031012.tif 000006
【図５】
2015031012.tif 000007
【図６】
2015031012.tif 000008